(57)【要約】  本発明は、配信コンテンツ格納方法及び配信コンテンツ格納システムを開示する。複数のコンテンツカテゴリが予め規定され、各コンテンツカテゴリは、少なくとも１つのコンテンツ記述子により規定又は記述される。少なくとも１つの配信送信チャネルを介し送信される配信コンテンツは、好ましくは、持続的に又は所定の期間受信される。予め規定されたコンテンツ記述子により記述される受信された配信コンテンツは、対応するコンテンツ記述子によって規定又は記述されるコンテンツカテゴリに自動的に割り当てられる。コンテンツカテゴリに割り当てられた配信コンテンツ及び配信コンテンツの対応するコンテンツカテゴリへの割当てが、自動的に格納される。
2007535239.tif 000002
【特許請求の範囲】
【請求項１】
配信コンテンツを格納する方法であって、
複数のコンテンツカテゴリが予め規定され、
前記コンテンツカテゴリの各々が、少なくとも１つのコンテンツ記述子により規定され、
少なくとも１つの配信送信チャネルを介し送信される配信コンテンツが受信され、
コンテンツ記述子によって記述される受信された配信コンテンツは、対応するコンテンツ記述子によって規定されるコンテンツカテゴリに自動的に割り当てられ、
コンテンツカテゴリに割り当てられた前記配信コンテンツと、前記配信コンテンツの前記対応するコンテンツカテゴリへの割当てが、自動的に格納される、
ことを特徴とする方法。
【請求項２】
請求項１記載の方法であって、
格納アドレスが、前記コンテンツカテゴリの各々に割り当てられ、
コンテンツカテゴリに割り当てられた前記配信コンテンツは、前記対応するコンテンツカテゴリに割り当てられた格納アドレスに従って自動的に格納される、
ことを特徴とする方法。
【請求項３】
請求項１又は２記載の方法であって、
前記格納された配信コンテンツに関する定量的情報が示され、コンテンツカテゴリに従って分類されることを特徴とする方法。
【請求項４】
請求項３記載の方法であって、
予め割り当てられた格納容量が、各コンテンツカテゴリに割り当てられ、
前記予め割り当てられた格納容量が占有される程度が示される、
ことを特徴とする方法。
【請求項５】
請求項１乃至４何れか一項記載の方法であって、
複数のコンテンツ記述子の論理結合により記述される前記受信された配信コンテンツは、対応する複数のコンテンツ記述子の論理結合により規定されるコンテンツカテゴリに自動的に割り当てられることを特徴とする方法。
【請求項６】
請求項１乃至５何れか一項記載の方法であって、
複数の配信チャネルを介し送信される配信コンテンツが、同時に受信されることを特徴とする方法。
【請求項７】
請求項１乃至６何れか一項記載の方法であって、
配信コンテンツのスタート及び／又はエンドは、前記配信コンテンツと共に付随する信号として送信されることを特徴とする方法。
【請求項８】
請求項１乃至７何れか一項記載の方法であって、
コンテンツ記述子は、前記配信コンテンツ共に付随する信号として送信されることを特徴とする方法。
【請求項９】
請求項１乃至８何れか一項記載の方法であって、
前記コンテンツカテゴリに割り当てられた配信コンテンツに関する情報は、前記コンテンツカテゴリの選択により、前記ユーザに自動的に示されることを特徴とする方法。
【請求項１０】
配信チャネルを介し送信される配信コンテンツを受信する少なくとも１つの受信機と、
配信コンテンツを格納する格納ユニットと、
コンテンツ記述子により記述される受信された配信コンテンツが、対応するコンテンツ記述子により規定されるコンテンツカテゴリに自動的に割り当てられ、コンテンツカテゴリに割り当てられる前記配信コンテンツが、前記対応するコンテンツカテゴリへの割当ての下で前記格納ユニットに自動的に格納されるように構成される処理ユニットと、
を有することを特徴とする配信コンテンツ格納システム。
【請求項１１】
請求項１０記載の配信コンテンツ格納システムであって、
コンテンツカテゴリに従って分類され、前記格納された配信コンテンツに関する定量的情報を表示する表示ユニットを有することを特徴とするシステム。
【請求項１２】
請求項１０記載の配信コンテンツ格納システムのための制御モジュールであって、
コンテンツカテゴリに従って分類され、前記格納された配信コンテンツに関する定量的情報を要求するための前記配信オンテンツ格納システムとのクエリインタフェースと、
対応するコンテンツカテゴリに従って分類され、前記格納された配信コンテンツに関する定量的情報を表示する表示ユニットと、
を有することを特徴とする制御モジュール。
【請求項１３】
請求項１２記載の制御モジュールであって、
格納されている配信コンテンツ又はコンテンツカテゴリのユーザ選択のためのコンテンツ選択ユニットと、
ユーザにより選択された配信コンテンツ又はコンテンツカテゴリに関する情報を転送するための前記配信コンテンツ格納システムとの選択インタフェースと、
を有することを特徴とする制御モジュール。
【請求項１４】
請求項１２又は１３記載の制御モジュールであって、
選択された配信コンテンツ又は選択されたコンテンツカテゴリの配信コンテンツをローカル配信ストレージに転送するための前記配信コンテンツ格納システムとのコンテンツ転送インタフェースを有することを特徴とする制御モジュール。
【発明の詳細な説明】
【技術分野】
【０００１】
本発明は、配信コンテンツ格納方法及び配信コンテンツ格納システムに関する。
【背景技術】
【０００２】
最近数十年のデジタル格納技術の領域における急速な技術進歩は、持続的に増大する格納容量による記憶媒体の進展を導いてきた。最近になって始めて、映像情報を格納するのに利用されるＶＨＳ（Ｖｉｄｅｏ  Ｈｏｍｅ  Ｓｙｓｔｅｍ）技術などが、ＤＶＤ（Ｄｉｇｉｔａｌ  Ｖｅｒｓａｔｉｌｅ  Ｄｉｓｃ）やハードディスク技術に取って代わり始めている。これはまもなく、従来知られていない格納容量を備えたビデオレコーダの世界的な利用を導くことになり、記憶媒体を変更する必要なく大量のフィルムの記録を可能にするであろう。
【０００３】
同時に、プロバイダとも呼ばれる多数の民間の配信企業の商業的な成功は、配信されるプログラムの持続的な供給拡大を導いてきた。これらのプログラムは、通常は「配信コンテンツ」として総称され、任意のタイプのフォーマット、ジャンル、時間及び分類を有するかもしれない。この意味において、「配信コンテンツ」という用語は、好ましくは、映画、演劇、ニュース放送、音楽チャート番組、スポーツ放送、ドキュメンタリーなどのラジオ及び／又はテレビプログラムを表し、例えば、映画全体、ニュース放送全体などの全体ユニット、又はニュース放送の地域ニュース、音楽チャートのトップスリーのみなどの全体ユニットの抜粋などを意味する可能性もある。持続的に増大している多数のプロバイダによって供給される配信コンテンツの大きな供給は、テレビ番組専用の雑誌を利用したとしても、ユーザが利用可能な膨大な供給番組から実際に視聴したい番組を特定することをより困難にしている。
【０００４】
このようなテレビガイドを利用して、ユーザが録画したい映画を見つけようとするときでさえ、依然としてユーザは、当該映画を実際に録画する方法において、自分のビデオレコーダをプログラムする周知の問題に直面する。
【発明の開示】
【発明が解決しようとする課題】
【０００５】
従って、本発明の課題は、配信コンテンツのユーザフレンドリーな格納と格納されている配信コンテンツへのユーザフレンドリーなアクセスを可能にする配信コンテンツ格納方法及び配信コンテンツ格納システムを提供することである。
【課題を解決するための手段】
【０００６】
本発明の課題は、独立クレームの特徴によって達成される。本発明の適切かつ効果的な発展型は、従属クレームの特徴によって規定される。さらに、方法クレームの従属クレームによるシステムクレームの発展型が、本発明の範囲に含まれる。
【０００７】
本発明によると、複数のコンテンツカテゴリが予め規定され、各コンテンツカテゴリは、少なくとも１つのコンテンツ記述子により規定又は記述される。少なくとも１つの配信送信チャネルを介し送信される配信コンテンツは、好ましくは、持続的に又は所定の期間受信される。予め規定されたコンテンツ記述子により記述される受信された配信コンテンツは、対応するコンテンツ記述子によって規定又は記述されるコンテンツカテゴリに自動的に割り当てられる。コンテンツカテゴリに割り当てられた配信コンテンツ及び配信コンテンツの対応するコンテンツカテゴリへの割当てが、自動的に格納される。
【０００８】
このため、各コンテンツカテゴリは、好ましくは、ハードディスクなどの記憶媒体上の格納セクタを示す論理的又は物理的格納（メモリ）アドレスに割り当てられる。コンテンツカテゴリに対応する配信コンテンツは、対応するコンテンツカテゴリに割り当てられたアドレスによって規定される格納セクタに自動的に格納される。格納アドレスはまた、マーカー又はポインタによって規定することも可能である。従って、コンテンツは、必ずしもハードディスク又は異なるハードディスク上の所定のセクタなどの物理的スロットに格納される必要はなく、キューにおけるマーカー又はポインタによって特定される「バーチャルスロット」に格納されてもよい。
【０００９】
本発明の好適な実施例では、配信コンテンツのタイトル、時間又は制作日など、ユーザにより選択されるコンテンツカテゴリのための配信コンテンツに関する情報が、ユーザに自動的に表示される。さらに、又はあるいは、ユーザにより選択されたコンテンツカテゴリに対応する配信コンテンツが再生される。
【００１０】
記載される方法により、特にユーザに適したコンテンツカテゴリの規定に従って、受信した配信コンテンツを自動的にカテゴリ化及び格納することによって、ユーザの嗜好に対応する配信コンテンツの選択が格納可能である。ビデオレコーダをプログラムするのに時間や労力を費やす必要はもはやなくなる。さらに、本発明は、特定のコンテンツカテゴリに対する格納されている配信コンテンツへのユーザの迅速かつ容易なアクセスを可能にする。
【００１１】
例えば、本発明は、以下の方法によりインテリジェントビデオレコーダにより実現可能である。すなわち、コンテンツカテゴリ“Ｆｒａｎｚ  Ｂｅｃｈｅｎｂａｕｅｒ”と“Ｔａｇｅｓｓｃｈａｕ”が規定される。コンテンツカテゴリ“Ｆｒａｎｚ  Ｂｅｃｈｅｎｂａｕｅｒ”はさらに、“Ｆｒａｎｚ  Ｂｅｃｈｅｎｂａｕｅｒの声”又は“キーワード：Ｆｒａｎｚ  Ｂｅｃｈｅｎｂａｕｅｒ”のコンテンツ記述子により規定される。コンテンツカテゴリ“Ｔａｇｅｓｓｃｈａｕ”はさらに、コンテンツ記述子“キーワード：Ｔａｇｅｓｓｃｈａｕ”により規定される。入力テレビチャネルは、Ｆｒａｎｚ  Ｂｅｃｈｅｎｂａｕｅｒの声、キーワード“Ｆｒａｎｚ  Ｂｅｃｈｅｎｂａｕｅｒ”又はキーワード“Ｔａｇｅｓｓｃｈａｕ”について持続的にモニタされる。例えば、キーワード“Ｔａｇｅｓｓｃｈａｕ”が受信したテレビチャネル上で識別される場合、当該キーワードが識別された番組は、コンテンツカテゴリ“Ｔａｇｅｓｓｃｈａｕ”に格納される。
【００１２】
配信コンテンツのスタート及びエンドは、好ましくは、適切な解析方法により特定され、あるいは、配信コンテンツへの付属信号として送信される。
【００１３】
コンテンツカテゴリとコンテンツ記述子の一部又はすべてはユーザ自身により規定することが可能であり、あるいは、それらは配信コンテンツプロバイダ、配信コンテンツ格納システムのメーカー又はサービスプロバイダによって規定されるかもしれない。コンテンツカテゴリ及びコンテンツ記述子は、例えば、インターネットからのダウンロードにより配信コンテンツ格納システムにロードされるかもしれない。
【００１４】
「コンテンツ記述子」という用語は、
・俳優、ニュースキャスター、プレゼンター、トークショーゲストの名前
・俳優、ニュースキャスター、プレゼンター、トークショーゲストの声
・俳優、ニュースキャスター、プレゼンター、トークショーゲストの言語
・ドキュメンタリー、政治討論、スポーツショーのトピック
・配信コンテンツの話題性又は制作年
・配信コンテンツの音声又は映像品質
・配信コンテンツで与えられるキーワード又は画像
・ドキュメンタリー、政治討論、スポーツショーのタイトル
・映画又は音楽ショーのジャンル（ジャズ、５０年代の映画など）
など配信コンテンツを記述するのに適したすべての情報をカバーする。
【００１５】
コンテンツ記述子は、好ましくは、適切な解析方法を利用して、配信コンテンツから自動的に抽出され、及び／又は付属信号として配信コンテンツと共に送信することが可能である。この自動抽出は、送信時、受信時又はサービスプロバイダの中央施設において行うことが可能である。
【００１６】
あるコンテンツカテゴリに属するとして送信中に識別された配信コンテンツ全体を記録することが可能となるため、受信された各配信コンテンツは、好ましくは一時的なバッファに格納される。コンテンツ記述子解析が配信コンテンツに対して実行された後、バッファされた配信コンテンツの一部又はすべてが、その後に適切なコンテンツカテゴリに割り当てられ、メモリに格納され、必要に応じて削除することが可能である。
【００１７】
受信された配信コンテンツが複数のコンテンツカテゴリに割当て可能である場合、それは好ましくは、１つのコンテンツカテゴリの割り当てられたメモリに格納され、いくつかの参照（ポインタ）が、適切なメモリセクタを参照する残りのコンテンツカテゴリについて生成される。当然ながら、本発明の範囲はまた、配信コンテンツが何回か格納されることを可能にする。例えば、“この配信コンテンツは、コンテンツカテゴリＸＹＺにおいてすでに視聴された”などの適切な警告を発信することが可能であり、これにより、ユーザは複数回同じ配信コンテンツを視聴することがなくなる。
【００１８】
システムの格納容量又はコンテンツカテゴリの確保されている格納容量を使い果たすと、システム又は適切なコンテンツカテゴリに格納される最も以前の配信コンテンツが、好ましくは、より最近の入力配信コンテンツのためにより多くのメモリを解放するため、削除されるかもしれない。
【００１９】
あるいは、又はさらに、ユーザがすでに再生した配信コンテンツは、メモリスペースを解放するため削除されてもよく、あるいは、ユーザが重要ではないとしてフラグを付けたコンテンツカテゴリに属する配信コンテンツは削除されてもよい。配信コンテンツの再生は、配信コンテンツ全体を再生することに関するものであってもよいし、あるいは、コンテンツのタイトルやサマリなどの特定の情報のみを表示することに関するものであってもよい。さらに、格納容量を使い果たした場合、入力される配信コンテンツは単に記録されないか、あるいは、ユーザに格納容量の状態を視覚的又は音声的に通知するようにしてもよい。特定の配信コンテンツは、好ましくは、特に興味があるとしてユーザ入力によりフラグが付けられてもよく、これにより、これらは視聴後にメモリから削除されず、特に削除についてプロテクトされる。
【００２０】
配信コンテンツとコンテンツカテゴリとの関連付けがバイナリ形式（“コンテンツカテゴリＸＹに関連がある”、“コンテンツカテゴリＸＹに関連がない”）により記述されず、関連性の程度（“コンテンツカテゴリＸＹに大変関連がある”、“コンテンツカテゴリＸＹにやや関連がある”、“コンテンツカテゴリＸＹに関連がない”）により記述される場合、メモリスペースを解放する上述の方法の代わりの方法又はさらなる方法により、配信コンテンツが関連性に基づき削除されてもよく、これにより、入力される配信コンテンツのためのスペースを確保するため、関連性の低い格納されている配信コンテンツが削除され、あるいは、入力されたものより関連性の低い以前に格納された配信コンテンツが削除される。
【００２１】
本発明の好適な実施例では、コンテンツ記述子と配信コンテンツとの間の関連性の程度が、発話者の識別又は音声認識などの適切な解析方法を利用して、所定の閾値レベルを超えているとわかると、配信コンテンツはコンテンツ記述子により記述されるようにしてもよい。
【００２２】
格納されている配信コンテンツの状態は、定量的に表示可能であり、好ましくは、コンテンツカテゴリ及び／又は指定された関連性の程度に従って分類することが可能である。
【００２３】
定量的な表示に加えて、又はその代わりに、この表示はまた、格納されている配信コンテンツの何れがユーザによってすでに視聴されたか、まだ視聴されていないか示すようにしてもよい。この情報はまた、コンテンツカテゴリに従って分類することができ、例えば、再生装置や制御モジュールの前方の適切なＬＥＤやＬＣＤ（Ｌｉｑｕｉｄ  Ｃｒｙｓｔａｌ  Ｄｉｓｐｌａｙ）によってテレビ画面上のテキスト又はシンボルとして視覚的に示すことが可能であり、あるいは、合成音声出力などによって可聴的に出力することも可能である。
【００２４】
本発明による配信コンテンツ格納システムは、配信チャネルを介し送信される配信コンテンツを受信するための少なくとも１つの受信機と、配信コンテンツを格納するための格納ユニットと、処理ユニットを有する。処理ユニットは、コンテンツ記述子によって記述された受信された配信コンテンツが、対応するコンテンツ記述子によって規定されたコンテンツカテゴリに自動的に割り当てられ、コンテンツカテゴリに割り当てられた配信コンテンツが、格納ユニットの適切なコンテンツカテゴリに自動的に格納されるように構成される。
【００２５】
本システムは、配信ネットワーク又は異なる通信ネットワークの中央施設に、あるいはユーザの宅内に完全に又は部分的に実現可能である。
【００２６】
配信コンテンツ格納システムは、好ましくは、複数の配信チャネルのパラレルな受信を可能にする少なくとも２つの受信機を有する。
【００２７】
さらなる好適な実施例では、当該受信、処理及び格納のすべてが中央ネットワークサーバによって実行される場合には、制御モジュールは、ユーザがブロードバンドインターネットなどを利用して、ローカルな視聴のためにネットワークサーバから配信コンテンツをダウンロードするため、中央ネットワークサーバにアクセスすることを可能にする。
【００２８】
本発明による配信コンテンツ格納システムの制御モジュールは、特に格納システムに格納され、適切なコンテンツカテゴリに従って分類される配信コンテンツに関する定量的情報を表示するための表示モジュールを有する。このような定量的情報は、例えば、適切な配信コンテンツがメモリに格納されているか、格納されている配信コンテンツの時間、この時間が特定の制限を超えているか、又は格納されている配信コンテンツの個数など、ユーザに通知するようにしてもよい。
【００２９】
本発明の他の課題及び特徴は、添付した図面と共に考慮される以下の詳細な説明から明らかになるであろう。しかしながら、この図面は単に説明のためのものであって、本発明の範囲を限定するものではないということは、理解されるであろう。
【発明を実施するための最良の形態】
【００３０】
図１は、適切なインタフェース９、１０、１１を介し制御モジュール１２に接続される配信コンテンツ格納システム１００を示す。配信コンテンツ格納システム１００と制御モジュール１２は、ユーザの近傍の１つの装置として実現可能であり、又は、例えば、ユーザが自宅に制御モジュール１２を有し、配信コンテンツ格納システム１００が配信プロバイダ又は他のサービスプロバイダのネットワーク要素として実現される場合には、別の装置として実現されるかもしれない。制御モジュール１２又は制御モジュール１２の各要素はまた、配信コンテンツ格納システム１００の一部として実現することが可能である。制御モジュール１２、又は制御モジュール１２と一体化された配信コンテンツ格納システム１００はまた、インテリジェントオーディオ及び／又はビデオレコーダとして実現することが可能である。
【００３１】
以下において、図１は、配信コンテンツ格納システム１００及び制御モジュール１２の各コンポーネントの動作並びにそれらがどのようにして協調するかについてだけでなく、配信コンテンツを格納する一例となる方法の各ステップをより詳細に示す。
【００３２】
簡単化のため、図１は、配信コンテンツ格納システム１００の関連するコンポーネントのみを、すなわち、制御モジュール１２とインタフェース９、１０、１１のみを示している。このような配信コンテンツ格納システム１００はまた、ケーブル、プロセッサ、電源、スイッチ、バス、ルータなどのこのような解析及び格納システムに一般に属する他の任意のコンポーネントを有するということは理解されるであろう。
【００３３】
図１に示される配信コンテンツ格納システム１００は、各々に対してアンテナ出力信号などの配信送信チャネルが経由される２つの受信システム１、２を有する。
【００３４】
配信送信チャネルを介し伝送される配信コンテンツ（映像又は音楽コンテンツ）は、配信受信システム１、２によって受信され、ハードディスクなどのバッファ３、４に格納される。
【００３５】
バッファ処理と同時に、受信された配信コンテンツは、それが所定のコンテンツ記述子によって記述されているか否か確認するため、プログラマブルプロセッサとして実現可能な中央処理ユニット５においてチェックされる。このため、処理ユニット５は、各種コンテンツ記述子ＯＢ１、ＯＢ２又はコンテンツ記述子を組み合わせたものが、各種コンテンツカテゴリＫＡＴ１、ＫＡＴ２を規定するのに指定されているメモリユニット１８を利用する。ユーザ又はサービスプロバイダは、必要に応じて、コンテンツカテゴリを規定するため、適切な定義インタフェース（図示せず）を介しメモリユニット１８へのリード／ライトアクセスを有する。
【００３６】
処理ユニット５には、コンテンツ記述子が音声認識や発話者識別などの適切な既知の解析方法を利用して配信コンテンツから抽出され、格納されているコンテンツ記述子ＯＢ１、ＯＢ２と比較することができるように、必要な技術が備えられている。抽出されたコンテンツ記述子と格納されているコンテンツ記述子ＯＢ１との間の関連性が所定の閾値レベルを超える場合、このことは、解析された配信コンテンツは実際にコンテンツ記述子ＯＢ１により記述され、対応するコンテンツカテゴリＫＡＴ１に割り当てられることを意味する。
【００３７】
コンテンツカテゴリＫＡＴ１に属する配信コンテンツのエンドに到達すると、始まり（スタート時間又はバッファのスタートアドレス）がまた決定され、配信コンテンツが格納アドレスＳＰＥ１に基づくアドレスに格納され、ハードディスクなどとして実現可能な格納ユニット６の対応するコンテンツカテゴリＫＡＴ１に割り当てられる。
【００３８】
コンテンツカテゴリＫＡＴ１、ＫＡＴ２の各種メモリアドレスＳＰＥ１、ＳＰＥ２はまた、コンテンツカテゴリＫＡＴ１、ＫＡＴ２について確保されている格納セクタ７、８に対する参照又はポインタとして実現可能である。
【００３９】
配信コンテンツの解析に加えて、処理ユニット５又は当該機能について実現される処理モジュールがまた、以下で詳細に説明されるインタフェース９、１０、１１と配信コンテンツ格納システム１００の各コンポーネントを制御及び協調するためのものとされる。
【００４０】
配信コンテンツ格納システム１００は、いくつかのインタフェース９、１０、１１を介し制御モジュール１２に接続される。インタフェース９、１０、１１は、インターネット接続、他の規格、専用通信又はデータバスプロトコルに部分的又は完全に基づくものとすることが可能である。
【００４１】
それ自体の適切な処理ユニットを介し制御可能な制御モジュール１２は、コンテンツカテゴリに従って分類される配信コンテンツ格納システム１００の各種格納セクタ６、７に格納されている配信コンテンツに関する定量的情報をクエリインタフェース９を介し定期的にリクエストする。もちろん、本発明はまた、配信コンテンツ格納システム１００の各種格納セクタ６、７に格納されている配信コンテンツに関する定量的情報が、配信コンテンツ格納システム１００によって制御モジュール１２に定期的に通信される追加的又は代替的な変形をカバーする。
【００４２】
クエリされたり、又は供給される定量的情報が、表示ユニット１３上に表示される。発光ダイオード（ＬＥＤ）などの光学素子１６ａ、１６ｂが、各コンテンツカテゴリＫＡＴ１、ＫＡＴ２に割り当てられる。ボタンなどのセレクタ要素１７ａ、１７ｂが、選択モジュール１４の一部として各光学素子１６ａ、１６ｂに割り当てられる。
【００４３】
光学素子１６ａが、配信コンテンツがコンテンツカテゴリＫＡＴ１に対応するメモリセクタ６に格納されていることを示す場合、ユーザは、光学素子１６ａに割り当てられている対応する要素１７ａを起動することにより、当該配信コンテンツ又はコンテンツカテゴリを選択することができる。
【００４４】
その後、ユーザによって選択された配信コンテンツ又はコンテンツカテゴリに関する情報が、選択インタフェース１０を介し配信コンテンツ格納システム１００に通信される。配信コンテンツ格納システム１００から選択された配信コンテンツ又は選択されたコンテンツカテゴリの配信コンテンツのコンテンツ転送インタフェース１１を介した転送が、これにより開始される。
【００４５】
ローカル配信ストレージ１５は、ディスプレイなどの配信コンテンツ再生モジュールの一部として、又は制御モジュール１２の一部として実現可能である。本発明の範囲内のある代替は、配信コンテンツ格納システム１００から選択された配信コンテンツ又は選択されたコンテンツカテゴリの配信コンテンツをディスプレイ、テレビ装置、テレビ画面などのローカル配信コンテンツ再生モジュールに直接転送することを可能にする。
【００４６】
本発明のさらなる実施例は、配信コンテンツの制御モジュール１２への転送前又はそれに伴う中間ステップとして、タイトルや俳優の名前などの格納されている配信コンテンツに関する情報の制御モジュール１２への転送を提供する。この情報は、ユーザがより良いインフォームドチョイス（ｉｎｆｏｒｍｅｄ  ｃｈｏｉｃｅ）をすることを可能にし、配信コンテンツ格納システム１００から制御モジュール１２への配信コンテンツの不要な転送を回避するのに供される。
【００４７】
図２は、例えば、映像コンテンツ格納システムとして実現され、映像入力２０を有する配信コンテンツ格納システム２００の他の構成を示す。入力映像コンテンツは、それらが所定のコンテンツ記述子により記述されているかに応じて、スイッチ２１により複数の格納セクタの１つに送られ、これにより、対応するコンテンツカテゴリに割り当てることができる。このスイッチ２１は、コンテンツクラシファイア（ｃｌａｓｓｉｆｉｅｒ）の一種として動作し、適切なコンテンツカテゴリに従って格納セクタ上に入力映像コンテンツを分配する。
【００４８】
第２スイッチ２３が、ユーザによりなされた選択に従って、格納ユニット２２の指定された格納セクタから映像出力２４に映像コンテンツを送信するのに利用される。
【００４９】
ここでは、本発明は好適な実施例及び変形の形式により開示されたが、本発明の範囲から逸脱することなく、当業者により多数のさらなる改良及び変形が可能であるということが理解されるであろう。例えば、配信コンテンツを格納するための方法は、課金及びデジタル著作権管理システムを含むよう拡張されるかもしれない。また、配信コンテンツ格納システム及び／又は制御モジュールは、パーソナルコンピュータに部分的又は完全に搭載されるかもしれない。
【００５０】
簡単化のため、本出願を通じて「ある」という用語は複数を排除するものでなく、「有する」という用語は他のステップ又は要素を排除するものでないということは理解されるであろう。「ユニット」又は「モジュール」という用語は、単体として明示的に記述されない場合、いくつかのブロック又は装置を有するかもしれない。「ハードウェア」という用語は、デジタル又はアナログハードウェアを意味する可能性があり、基板、集積回路、オフ・ザ・シェルフモジュール、カスタムモジュールなどの任意のタイプの回路を意味するかもしれない。
【図面の簡単な説明】
【００５１】
【図１】図１は、制御モジュールを備えた配信コンテンツ格納システムのシステム構成のブロック図である。
【図２】図２は、本発明の実施例による配信コンテンツ格納システムのブロック図である。
【図１】
2007535239.tif 000003
【図２】
2007535239.tif 000004
【国際調査報告】
2007535239.tif 000005
2007535239.tif 000006